(57)【要約】【課題】  記録紙の紙送り方向として長辺および短辺が設定可能な複数の給紙装置を有するカット紙印刷システムの障害発生後のリカバリ印刷において、印刷ジョブとリカバリ印刷を分離するための印刷制御システムを提供する。【解決手段】  上位コンピュータから印刷用データを受信し、前記印刷用データを展開してラスターデータに変換する展開処理部、前記ラスターデータを保持する大容量記録装置、出力装置に障害が発生後のリカバリ印刷をするリプリント処理、及び記録紙の紙送り方向として長辺および短辺が設定可能な複数の給紙装置を備えたカット紙印刷システムにおいて、リカバリ印刷時に、リカバリをする頁のラスターデータを９０度回転させる手段を設け、リカバリする頁の紙送り方向が長辺の場合は短辺の用紙を選択して印刷することを特徴とする【選択図】  図１
2007193647.tif 000002
【特許請求の範囲】
【請求項１】
上位コンピュータから印刷用データを受信し、前記印刷用データを展開してラスターデータに変換する展開処理部と、前記ラスターデータを保持する大容量記録装置と、出力装置に障害が発生後のリカバリ印刷をするリプリント処理、及び記録紙の紙送り方向として長辺および短辺が設定可能な複数の給紙装置を備えたカット紙印刷システムにおいて、
リカバリ印刷時に、リカバリをする頁のラスターデータを９０度回転させる手段を設け、リカバリする頁の紙送り方向が長辺の場合は短辺の用紙を選択して印刷することを特徴とするカット紙印刷システム。
【請求項２】
上位コンピュータから印刷用データを受信し、前記印刷用データを展開してラスターデータに変換する展開処理部と、前記ラスターデータを保持する大容量記録装置と、出力装置に障害が発生後のリカバリ印刷をするリプリント処理、及び記録紙の紙送り方向として長辺および短辺が設定可能な複数の給紙装置を備えたカット紙印刷システムにおいて、
リカバリ印刷時に、リカバリする頁のラスターデータを９０度回転させる手段を設け、リカバリする頁の紙送り方向が短辺の場合は長辺の用紙を選択して印刷することを特徴とするカット紙印刷システム。
【発明の詳細な説明】
【技術分野】
【０００１】
本発明は、上位ホストコンピュータから印刷用データを受信し、印刷用データの解析、展開を行い、カット紙印刷システムのリカバリ印刷の制御システムに関するものである。
【背景技術】
【０００２】
図５は、ハードディスクなど大容量記録装置を備えたカット紙印刷システムの構成を示す。上位コンピュータ３は、印刷データを作成しカット紙印刷システムコントローラ４へ送信する機能を有している。カット紙印刷システムコントローラ４では、受信処理５で印刷データを受信し、そのデータを受信バッファ９へ格納する。
【０００３】
受信処理５のデータ受信と平行して、展開処理６は、受信バッファ９のデータを順次読み出し、解析し、描画データを作成し、フレームメモリ１０へ書き込み、一頁分の描画データが作成終了すると、描画データを大容量記録装置１１に転送を実行する。エンジン制御処理１２では、１ジョブ分の展開処理が終了すると、装置選択処理８を実行することで、前記展開処理６で解析したデータを参照し、装置選択処理８から使用する給紙装置等を決定する。その後、エンジン制御処理１２で大容量記録装置１１に格納されている前記１ジョブ分の描画データを読出し、エンジン機構部制御処理部１３に印刷命令を発行し印刷動作を実行する。また、カット紙印刷システムでは、用紙ジャム等障害が発生した場合に印刷動作が完結せずに印刷装置内に用紙がとどまってしまい、印刷を保証できない印刷頁が生ずる。その印刷動作が完結しなかった印刷頁を再印刷するリプリント処理７がある。
【０００４】
次に、カット紙印刷システムコントローラ４のリプリント処理手順を図４により説明する。リカバリ印刷する最初の頁は印刷を保証した頁の次の頁になるため、印刷開始ポインタは印刷保証ポインタに１を加えた値にする。その後、エンジン制御処理１２に印刷開始ポインタから印刷開始指示してリプリント処理を終了する。
【０００５】
リカバリ印刷では、同じ印刷頁を印刷する２重印刷、印刷頁が抜けてしまうデータロスト、用紙搬送経路の汚れによる用紙汚れ等が発生する可能性があり、請求書印刷など信頼性を求める印刷において、リカバリ印刷の確認作業が欠かせない。しかし、排紙装置に用紙を残したままリカバリ印刷を実行するとリカバリ頁がどの頁に該当するか判らなくなる為、リカバリ頁だけでなく、通常印刷の頁まで確認作業しなければならない問題があった。
【０００６】
【特許文献１】特開２００１−７５７７０号公報
【発明の開示】
【発明が解決しようとする課題】
【０００７】
記録紙の紙送り方向として長辺および短辺が設定可能な複数の給紙装置を有するカット紙印刷システムの障害発生後のリカバリ印刷において、印刷ジョブとリカバリ印刷を分離するための印刷制御システムを提供する。
【課題を解決するための手段】
【０００８】
本発明の請求項１記載の発明は、上位コンピュータから印刷用データを受信し、前記印刷用データを展開してラスターデータに変換する展開処理部と、前記ラスターデータを保持する大容量記録装置と、出力装置に障害が発生後のリカバリ印刷をするリプリント処理、及び記録紙の紙送り方向として長辺および短辺が設定可能な複数の給紙装置を備えたカット紙印刷システムにおいて、リカバリ印刷時に、リカバリをする頁のラスターデータを９０度回転させる手段を設け、リカバリする頁の紙送り方向が長辺の場合は短辺の用紙を選択して印刷することを特徴とする。
【０００９】
本発明の請求項２記載の発明は、上位コンピュータから印刷用データを受信し、前記印刷用データを展開してラスターデータに変換する展開処理部と、前記ラスターデータを保持する大容量記録装置と、出力装置に障害が発生後のリカバリ印刷をするリプリント処理、及び記録紙の紙送り方向として長辺および短辺が設定可能な複数の給紙装置を備えたカット紙印刷システムにおいて、リカバリ印刷時に、リカバリする頁のラスターデータを９０度回転させる手段を設け、リカバリする頁の紙送り方向が短辺の場合は長辺の用紙を選択して印刷することを特徴とする。
【発明の効果】
【００１０】
本発明によれば、リカバリ印刷と通常印刷で異なる紙送りが方向で印刷できるので、通常印刷とリカバリ印刷が分離でき、容易に確認作業が出来る。
【発明を実施するための最良の形態】
【００１１】
本発明の実施例について、図１、図２及び図３により説明する。
【００１２】
本発明は、図２に示すように、リプリント処理７に対して、新たに回転展開処理１を追加している。回転展開処理１の処理内容について図１で説明する。従来のリプリント処理に比べ、新たに回転展開処理２を追加している。
【００１３】
印刷保証ポインタに対応する用紙の給紙装置を参照して、紙送り方向Ｖ（長辺、または短辺）を認識する。次に印刷保証頁と印刷開始ポインタを比較して、プリンタ内で留まってしまった印刷未保証頁数Ｎを算出する。その後、従来と同様に、印刷保証ポインタを参照して印刷開始ポインタを算出する。印刷未保証頁数Ｎが０より多い場合は、給紙装置検索処理を実行する。給紙装置検索処理では、複数の給紙装置の中から、印刷開始ポインタで使用する用紙サイズで、紙送り方向Ｖと逆の紙送り方向の用紙がセットされている給紙装置を検索し、給紙装置を決定する。次に大容量記録装置１１に格納されている印刷開始ポインタで示す展開データを読み出し、展開データを９０度回転させ、大容量記録装置１１に展開データを書き換える９０度回転展開処理を実行する。書き換え終了後、印刷未保証頁数Ｎを１減算し、印刷開始ポインタを更新し、エンジン制御処理に印刷開始指示する。この処理をＮが０になるまで繰り返し、通常印刷を開始する為に、エンジン制御処理１２に印刷開始指示して、リプリント処理７が終了する。
【００１４】
上記ように制御することで、排紙装置に図３のように排紙される。リカバリ前の印刷は１４、リカバリ印刷が１５、リカバリ印刷終了後の印刷が１６となり、どこでリカバリ印刷をしたか簡単に認識できる為、確認作業が容易となる。
【図面の簡単な説明】
【００１５】
【図１】本発明のカット紙印刷システムのリプリント処理フローチャート。
【図２】本発明のカット紙印刷システムコントローラ構成説明図。
【図３】本発明のリカバリ印刷終了後の排紙説明図。
【図４】従来のカット紙印刷システムのリプリント処理フローチャート。
【図５】従来のカット紙印刷システムコントローラ構成説明図。
【符号の説明】
【００１６】
１…回転展開処理、２…回転展開処理、３…上位コンピュータ、４…カット紙印刷システムコントローラ、５…受信処理、６…展開処理、７…リプリント処理、８…装置選択処理、９…受信バッファ、１０…フレームメモリ、１１…大容量記録装置、１２…エンジン制御処理、１３…エンジン機構制御部、１４…リカバリ前の印刷、１５…リカバリ印刷、１６…リカバリ印刷終了後の印刷。
【図１】
2007193647.tif 000003
【図２】
2007193647.tif 000004
【図３】
2007193647.tif 000005
【図４】
2007193647.tif 000006
【図５】
2007193647.tif 000007